(57)【特許請求の範囲】
【請求項１】
はりの上にデッキプレートを敷設し、その上にコンクリートを打設して構成された床下、またははりの上にＰＣ板を敷設して構成された床下に構成された天井下地一体ばりであって、所定間隔に架け渡されたはりと当該はりの下側に構成された天井下地とからなり、前記天井下地は前記はりに所定間隔に垂設された複数の吊り束と、当該吊り束間に前記はりの軸方向と軸直角方向に格子状に架け渡された複数の野縁と、前記はりと野縁間に架け渡された複数の斜材とから構成され、かつ前記吊り束、野縁および斜材は形鋼から形成されてなることを特徴とする天井下地一体ばり。
【発明の詳細な説明】
【０００１】
【発明の属する技術分野】
この発明は、建物の構築後に各住戸の間取りだけでなく、建物そのものの用途も自由に変更できるとする、いわゆる建物のフリープラン化に容易に対応できるようにした天井下地一体ばりに関する。
【０００２】
【従来の技術および発明が解決しようとする課題】
近年、特に超高層建物の建設に際し、建物の構築後に家族構成の変化や入居者の好みに応じて各住戸の間取りを自由に変更できるようにし、また社会情勢に応じて建物そのものの用途も自由に変更できるようにする、建物のフリープラン化の実現が強く望まれている。
【０００３】
例えば、当初オフィスビル等として利用されていた建物を、その後の社会情勢の変化により集合住宅などの他の用途の建物に変更でき、またその逆も可能であれば建物を建て直す必要がなく、当初の建物を半永久的に利用できてきわめて経済的である。
【０００４】
そうするためには、建築、構造、設備のそれぞれの用途を明確にして分離する必要がある。
ところでこれまで、鉄骨構造の建物の場合、天井裏は鉄骨ばり等の構造材とダクト等の設備材などが複雑に入り乱れ、さらに部分的に下がり天井になっていたりする等して建築的にも複雑になっている場合が多く、建物のフリープラン化に充分に対応できるようになっていないのが現状であった。
【０００５】
一般に配管や空調ダクト２０は、例えば図３（ａ）に図示するように鉄骨ばり２１のウェブ部２１ａに貫通孔２１ｂを設け、この貫通孔２１ｂを貫通して天井裏に設置されているが、図３（ｂ）に図示するように配管や空調ダクト２０を鉄骨ばり２１の下側に設置して鉄骨ばり２１から分離すれば、配管や空調ダクト２０を鉄骨ばり２１に全く拘束されずに自由に変更できて建物のフリープラン化が容易に可能になる。
【０００６】
しかし、これでは、天井ふところ（天井面と直上階の床面間の距離）が鉄骨ばり２１の下側に設備スペースを設けて、高くなる分階高が高くなるのを免れない。
【０００７】
この発明は、以上の課題を解決するためになされたもので、特に建物のフリープラン化に容易に対応できるようにした天井下地一体ばりを提供することを目的とする。
【０００８】
【課題を解決するための手段】
請求項１記載の天井下地一体ばりは、はりの上にデッキプレートを敷設し、その上にコンクリートを打設して構成された床下、またははりの上にＰＣ板を敷設して構成された床下に構成された天井下地一体ばりであって、所定間隔に架け渡されたはりと当該はりの下側に構成された天井下地とからなり、前記天井下地は前記はりに所定間隔に垂設された複数の吊り束と、当該吊り束間に前記はりの軸方向と軸直角方向に格子状に架け渡された複数の野縁と、前記はりと野縁間に架け渡された複数の斜材とから構成され、かつ前記吊り束、野縁および斜材は形鋼から形成されてなることを特徴とするものである。
【０００９】
【発明の実施の形態】
図１と図２は、この発明の実施の一形態を示し、図において所定間隔にはり１（以下「小ばり１」という）が架け渡され、この小ばり１の上にデッキプレート２を敷設した上にコンクリート３が打設されている。
【００１０】
こうして各階の床が構成されている。なお、デッキプレート２の上にコンクリート３を打設する代わりに、小ばり１の上に直接ＰＣ板などの床板を敷設してもよい。
【００１１】
一方、小ばり１の下側に複数の野縁４が小ばり１の軸方向に、または小ばり１の軸方向と軸直角方向に格子状に延在されている。また、小ばり１に複数の吊り束５が小ばり１の軸方向に所定間隔に垂設されている。吊り束５の上端部は小ばり１の下端部に突設されたライナー１ａに連結されている。そして、この吊り束５の下端部に野縁４が固定して支持されている。
【００１２】
さらに、隣接する吊り束５，５間に複数の斜材６が架け渡されている。斜材６の両端は小ばり１と吊り束５との連結部、野縁４と吊り束５との連結部にそれぞれ連結されている。こうして、各階の天井下地が構成されている。また、野縁４の下側に複数の天井パネル７が張り付けられている。
【００１３】
なお、斜材６は必ずしも必要ではなく、特にたわみ防止で必要なときにのみ設置されている。
また、小ばり１とライナー１ａ、さらには野縁４、吊り束５、斜材６などの天井下地材はいずれも、帯鋼、Ｈ形鋼、溝形鋼などの形鋼から形成され、また複数の連結ボルト（図省略）で連結するか、または溶接するかすることにより互いに一体的に連結されている。
【００１４】
このようにして各階の天井下地が構成されていることにより、天井裏の小ばり１と野縁４との間に大きな空間ａを形成でき、この空間ａを配管８と空調ダクト９を通すための設備スペースとして利用できる。
【００１５】
また、配管８と空調ダクト９は小ばり１から完全に切り離して設置されていることにより、設置した後からでも小ばり１に全く拘束されることなく、配管８と空調ダクト９の位置を必要に応じて自由に変えることができるため、フリープラン化が可能である。
【００１６】
また、小ばり１は、変形（たわみ）や床の振動なども考慮して断面設計されているが、野縁４などの天井下地材を構造材として付加的に利用することで、小ばり１の小断面化による鉄骨量の低減が図れる。
【００１７】
さらに、野縁４、吊り束５、斜材６などの天井下地材は連結ボルトや溶接などによって一体的に組み立てられていることにより、特にコンクリート打設時の仮設のたわみ防止材と施工後の床の振動防止材として利用できる一方、野縁４、吊り束５、斜材６などの天井下地材を構造材として付加的に利用し、法上の構造部材として算入しないことにより、耐火被覆の規制を免れることができる。
【００１８】
なお、施工に際しては、小ばり１と野縁４などの天井下地材を、一部材一部材固定ないし連結しながら取り付け位置に取り付けるか、あるいはこれらの部材を予め地上で組み立てて床部分と天井部分を所定大のパネル状に形成し、これをクレーン等で吊り上げて取り付け位置に設置してもよい。
【００１９】
【発明の効果】
この発明は以上説明した構成からなり、はりの下側に、このはりから所定間隔に垂下された複数の吊り束とこの吊り束間に架け渡された複数の野縁とを有して前記はりと一体をなす天井下地が構成されていることにより、天井裏のはり下に大きな空間を形成できるため、この大きな空間を配管や空調ダクトを設置するための設備スペースとして有効に利用できる。
【００２０】
その際特に、配管や空調ダクトは、はり下にはりと完全に切り離して設置できるため、設置した後からでも配管や空調ダクトの位置を自由に変更でき、建物のフリープラン化に大きく寄与できる。
【００２１】
また、野縁や吊り束などの天井下地材を小ばりと一体的に組み立て、付加的に構造材として利用することにより小ばりの小断面化による鉄骨量の大幅な低減が図れる。
【図面の簡単な説明】
【図１】天井下地一体ばりの一例を示し、（ａ）はその一部拡大縦断面図、（ｂ）は（ａ）におけるイ−イ線断図である。
【図２】天井下地一体ばりの一例を示す断面図である。
【図３】（ａ），（ｂ）は、従来の天井裏構造の一例を示す断面図である。
【符号の説明】
ａ  空間
１  小ばり（はり）
１ａ  ライナー
２  デッキプレート
３  コンクリート
４  野縁
５  吊り束
６  斜材
７  天井パネル
８  配管
９  空調ダクト
【図１】
0004193250.tif 000002
【図２】
0004193250.tif 000003
【図３】
0004193250.tif 000004